(57)【要約】【課題】競争路に使われる個人動画リアルタイム生放送方法及び生放送システムを提供する。【解決手段】生放送システムは、移動端末、動画受信端末、ネットワークビデオカメラ、および、クラウドサーバーを備える。移動端末はＧＰＳポジショニングモジュールと第一無線通信モジュールを有する。動画受信端末は第二無線通信モジュール、動画切り替えモジュール、及び動画再生モジュールを有する。複数のネットワークビデオカメラを競争路の両側に撮像範囲が交差となるよう設置されている。ＧＰＳポジショニングモジュールは選手の位置情報を第一無線通信モジュールとクラウドサーバーで動画受信端末に伝送する。ネットワークビデオカメラは撮影した動画をクラウドサーバーで動画受信端末に伝送する。第二無線通信モジュールは位置情報と動画を動画切り替えモジュールに伝送する。【選択図】図１
2017212665.tif 000002
【特許請求の範囲】
【請求項１】
競争路に使われる個人動画リアルタイム生放送方法であって、
ネットワーク通信機能およびＧＰＳポジショニング機能を有し競争路に位置している選手が持っている複数の移動端末、ネットワーク通信機能と動画切り替え機能とリアルタイム生放送機能を有する複数の動画受信端末、複数のネットワークビデオカメラ、および、クラウドサーバーを備える個人動画リアルタイム生放送システムを設定するステップと、
ネットワークビデオカメラは撮像範囲が交差となるよう競争路の両側に固定されており、競争路の両側において、一方のネットワークビデオカメラが他方の二つの隣接しているネットワークビデオカメラの中間の任意点に対応しており、各ネットワークビデオカメラが競争路に位置している選手の動画をリアルタイムに撮影し、撮影した動画をそれぞれクラウドサーバーへ伝送し、クラウドサーバーが受信した動画をネットワークで動画受信端末に伝送するステップと、
選手が持っている移動端末は、選手に対してリアルタイムにポジショニングし、選手の位置情報をクラウドサーバーへリアルタイムに伝送し、クラウドサーバーは、受信した各選手の位置情報を動画受信端末に伝送するステップと、
受信したある選手の位置情報により、動画受信端末は、当該選手が位置しているエリアにあるネットワークビデオカメラが撮影した動画をリアルタイムに切り替えて放送するステップと、を含むことを特徴とする生放送方法。
【請求項２】
請求項１に記載の放送方法に使用される個人動画をリアルタイムに放送するシステムであって、
複数の移動端末、複数の動画受信端末、複数のネットワークビデオカメラ、およびクラウドサーバーを備え、
移動端末はＧＰＳポジショニングモジュールおよび第一無線通信モジュールを有し、
動画受信端末は、第二無線通信モジュール、動画切り替えモジュール、および動画再生モジュールを有し、
複数のネットワークビデオカメラは、撮像範囲が交差となるよう競争路の両側に固定されており、競争路の両側において、一方のネットワークビデオカメラが他方の二つの隣接しているネットワークビデオカメラの中間の任意点に対応しており、各ネットワークビデオカメラのレンズは競争路に向かっており、
ＧＰＳポジショニングモジュールは、選手の所在位置をリアルタイムにポジショニングし、位置情報を第一無線通信モジュールでクラウドサーバーへ伝送し、
クラウドサーバーは、受信した位置情報に対して処理を行い、ネットワークで動画受信端末に伝送し、
ネットワークビデオカメラは、それぞれ撮影した動画をクラウドサーバーへ伝送し、
クラウドサーバーは、受信した動画を処理してから動画受信端末へ伝送し、
第二無線通信モジュールは、受信した位置情報と動画を動画切り替えモジュールに伝送し、
動画切り替えモジュールは、動画を選手が位置しているエリアにあるネットワークビデオカメラが撮影した動画にリアルタイムに切り替え、当該動画を動画再生モジュールに伝送し放送することを特徴とする放送システム。
【発明の詳細な説明】
【技術分野】
【０００１】
本発明は、動画再生分野に属し、具体的には競争路に使われる個人動画リアルタイム生放送方法及び生放送システムに関わる。
【背景技術】
【０００２】
生活水準の日々向上に従い、人々は健康とスポーツに対するアピールがますます強くなる。ランニングは特殊の場所と設備に対して必要がないうえ、マラソンは、人々の心肺機能と血液循環などに対して役割を立つために、ますます多くの人はマラソンスポーツに参加する。現在マラソン大会に参加するための切符が簡単に入手できない。現在競争路で行うスポーツ項目の生放送方式が単一で、ほとんどはテレビ局で動画を生放送する。テレビ局は数台のビデオカメラを使い、競争路に対して多角度、多場所の同時撮影を行う。競争路にいる選手が多く、数台のビデオカメラは人々を撮影できる。テレビ局のビデオカメラは大体重点の選手に関心をつけ、例えば、スターまたは前に走っている選手に関心をつける。テレビ生放送の時間に限られ、前の数人の選手はゴールにつくとき、テレビの生放送もそろそろ終わる。ある選手の観客は全過程で当該選手の動画を見えない。
【発明の概要】
【発明が解決しようとする課題】
【０００３】
現在の技術にある上記の問題を解決するために、本発明は競争路に使われる個人動画リアルタイム生放送方法及び生放送システムを提供する。
【課題を解決するための手段】
【０００４】
本発明は下記のとおりである。競争路に使われる個人動画リアルタイム生放送方法であり、下記の手順を含む。１）複数の移動端末、複数の動画受信端末、複数のネットワークビデオカメラ、およびクラウドサーバーの個人動画リアルタイム生放送システムを含む。移動端末はネットワーク通信機能とＧＰＳポジショニング機能がある。移動端末は競争路にある選手により持つ。動画受信端末は、ネットワーク通信機能、動画切り替え機能とリアルタイム生放送機能を有する。２）ネットワークビデオカメラは、撮像範囲が交差となるよう競争路の両側に固定され、競争路の両側において、一方のネットワークビデオカメラが他方の二つの隣接しているネットワークビデオカメラの中間の任意点に対応している。
【０００５】
各ネットワークビデオカメラは、競争路にある選手の動画をリアルタイムに撮影し、撮影した動画をそれぞれクラウドサーバーへ伝送する。クラウドサーバーは、受信した動画をネットワークで動画受信端末に伝送する。３）選手が持っている移動端末は、選手に対してリアルタイムにポジショニングし、選手の位置情報をクラウドサーバーへリアルタイムに伝送する。クラウドサーバーは受信した各選手の位置情報を動画受信端末に伝送する。４）受信したある選手の位置情報により、動画受信端末は、当該選手が位置しているエリアにあるネットワークビデオカメラが撮影した動画をリアルタイムに切り替えて放送する。
【０００６】
競争路に使われる個人動画リアルタイム生放送方法及び生放送システムの特徴は下記のとおりである。複数の移動端末、複数の動画受信端末、複数のネットワークビデオカメラとクラウドサーバーを含む。移動端末はＧＰＳポジショニングモジュールと第一無線通信モジュールを含む。動画受信端末は、第二無線通信モジュール、動画切り替えモジュール、および動画再生モジュールを含む。複数のネットワークビデオカメラは、撮像範囲が交差となるよう競争路の両側に固定されており、競争路の両側において、一方のネットワークビデオカメラは、他方の二つの隣接しているネットワークビデオカメラの中間の任意点に対応する。ネットワークビデオカメラのレンズは競争路に向いている。
【０００７】
選手は移動端末を持つ。ＧＰＳポジショニングモジュールは選手の所在位置をリアルタイムにポジショニングし、位置情報を第一無線通信モジュールでクラウドサーバーへ伝送する。クラウドサーバーは、受信した位置情報に対して処置してから、ネットワークで動画受信端末に伝送する。ネットワークビデオカメラは、それぞれ撮影した動画をクラウドサーバーへ伝送する。クラウドサーバーは受信した動画を処置してから動画受信端末へ伝送する。第二無線通信モジュールは受信した位置情報と動画を動画切り替えモジュールに伝送し、動画切り替えモジュールは動画を選手が位置しているエリアにあるネットワークビデオカメラが撮影した動画にリアルタイムに切り替え、当該動画を動画再生モジュールに伝送し放送する。
【０００８】
上記の技術案を使うため、本発明の有益な効果は下記のとおりである。一人一人の選手を撮影できるうえ、全過程で一人一人の選手に関する動画画像をリアルタイムに放送することができ、スポーツ項目のインタラクティブ性を極めて向上させ、マラソン大会などの項目の競技レベルを向上させ、スポーツ産業の繁栄の推進に対して計り知れない役割を立つ。
【図面の簡単な説明】
【０００９】
【図１】本発明の競争路に使われる個人動画リアルタイム生放送システムの構造を示す模式図である。
【図２】本発明の実施形態のマラソン競争路にあるネットワークビデオカメラの配置を示す模式図である。
【発明を実施するための形態】
【００１０】
以下図面と実施形態を合わせて本発明に対して詳しく説明する。
本発明の実施形態による競争路に使われる個人動画リアルタイム生放送方法は、下記の手順を含む。
【００１１】
１）複数の移動端末１、複数の動画受信端末２、複数のネットワークビデオカメラ３及びクラウドサーバー４の個人動画リアルタイム生放送システムを設置する。移動端末１はネットワーク通信機能とＧＰＳポジショニング機能があり、移動端末１は競争路にある選手により持ち、動画受信端末２はネットワーク通信機能、動画切り替え機能とリアルタイム生放送機能を有する。
【００１２】
２）ネットワークビデオカメラ３は撮像範囲が交差となるよう競争路の両側に固定されている。競争路の両側において、一方のネットワークビデオカメラ３と他方の二つの隣接しているネットワークビデオカメラ３の中間の任意点とが対応している。各ネットワークビデオカメラ３は競争路にいる選手の動画をリアルタイムに撮影し、撮影した動画をクラウドサーバー４へそれぞれ伝送する。クラウドサーバー４は受信したあらゆる動画をネットワークで動画受信端末２に伝送する。具体的なステップは下記のとおりである。
【００１３】
競争路の仮長さをＸＭとし、ｍ当たりに一台のネットワークビデオカメラを設置し、設置する必要があるネットワークビデオカメラ３の数がＸである。その中、１番目、３番目、５番目．．．ネットワークビデオカメラ３は、競争路の両側の一方に均一に設置され、２番目、４番目、６番目．．．ネットワークビデオカメラ３は、競争路の両側の他方に均一に設置され、競争路の同じ側、任意の二つの隣接しているネットワークビデオカメラ３の間の距離が２ｍである。第一ネットワークビデオカメラ３は０〜ｍ区間にある動画を撮影し、第二ネットワークビデオカメラ３はｍ〜２ｍ区間にある動画を撮影し．．．第Ｘネットワークビデオカメラ３は（ｘ−１）ｍ−ｘｍ区間にある動画を撮影し、ｘ台のネットワークビデオカメラ３はそれぞれ撮影した動画をクラウドサーバー４へ連続し伝送している。
【００１４】
３）選手が持っている移動端末１は選手に対してリアルタイムにポジショニングし、選手の位置情報をクラウドサーバー４へリアルタイムに伝送する。クラウドサーバー４は受信した各選手の位置情報を動画受信端末２に伝送する。
【００１５】
４）受信したある選手の位置情報により、動画受信端末２は当該選手が位置している区間にあるネットワークビデオカメラ３が撮影した動画にリアルタイムに切り替え、動画受信端末２は当該選手が競争路全過程にある動画画像を連続に放送することができる。観客は関心を持っている選手が競争路全過程にある動画画像を見える。
【００１６】
図１に示すように、上記の競争路に使われる個人動画リアルタイム生放送方法に基づき、本発明も競争路に使われる個人動画リアルタイム生放送システムを提供する。当該個人動画リアルタイム生放送システムは、複数の移動端末１、複数の動画受信端末２、複数のネットワークビデオカメラ３とクラウドサーバー４を備える。その中、移動端末１はＧＰＳポジショニングモジュール１１と第一無線通信モジュール１２を有する。動画受信端末２は第二無線通信モジュール２１、動画切り替えモジュール２２、および動画再生モジュール２３を有する。
【００１７】
複数のネットワークビデオカメラ３は競争路の両側に交差し設置し、競争路の両側の一方に位置するネットワークビデオカメラ３は、競争路の両側の他方に位置する二つの隣接しているネットワークビデオカメラ３の中間の任意点に対応し、ネットワークビデオカメラ３のレンズは競争路に向いている。選手は移動端末１を持っている、ＧＰＳポジショニングモジュール１１は選手の所在位置をリアルタイムにポジショニングし、位置情報を第一無線通信モジュール１２でクラウドサーバー４へリアルタイムに伝送する。
【００１８】
クラウドサーバー４は受信した位置情報を処置してから、ネットワークで動画受信端末２へ伝送する。選手のランニング過程において、ネットワークビデオカメラ３はネットワークでそれぞれ撮影した動画をクラウドサーバー４へ伝送し、クラウドサーバー４は受信した動画を処理してから動画受信端末２へ伝送する。第二無線通信モジュール２１は受信した位置情報と動画を動画切り替えモジュール２２へ伝送し、選手の位置情報により、動画切り替えモジュール２２は選手が位置している区間にあるネットワークビデオカメラ３が撮影した動画にリアルタイムに切り替え、当該動画を動画再生モジュール２３に伝送し放送する。観客は動画受信端末２で、ある選手が競争路全過程にある連続動画を見える。
【００１９】
本発明の競争路に使われる個人動画リアルタイム生放送システムは同様の方式で一人一人の選手及び観客を取り扱い、膨大な動画上りと下りのリンクが生成する。一人一人の観客は関心を持っている選手の動画を連続に見える。それに、動画受信端末２が受信した各区間の動画もネットワークで生放送でき、更に多くの観客は競技スポーツに対する理解に便利である。
【００２０】
図２に示すように、２１０台のネットワークビデオカメラ３はマラソン競争路の両側に撮像範囲が交差となるよう設置されている。マラソン競争路の同じ側の二つの隣接しているネットワークビデオカメラ３の間の距離が４００メートルである。一つ一つのネットワークビデオカメラ３の角度と位置が固定される。マラソンランキングの過程において、２１０台のネットワークビデオカメラ３は撮影した動画をクラウドサーバー４へ連続し伝送する。こうすると、観客はネットワークフロー動画番組のようにマラソンを見える。選手が持っている移動端末１は選手の位置情報をクラウドサーバー４へリアルタイムに伝送する。これ以外、２１０台のネットワークビデオカメラ３はクラウドサーバー４へ２１０通の連続動画を出力する。動画受信端末は受信した選手の位置情報により、ネットワークビデオカメラ３のマーク順番により、対応するネットワークビデオカメラ３が撮影した動画にリアルタイムに切り替える。
【００２１】
ある選手は、０〜２００メートルの区間にあるとき、第一ネットワークビデオカメラ３は当該選手の動画を撮影し、このとき、動画受信端末２は第一ネットワークビデオカメラ３が撮影した動画を放送する。当該選手は２００〜４００メートルの区間にあるとき、第二ネットワークビデオカメラ３は当該選手の動画を撮影し、このとき、動画受信端末２は第二ネットワークビデオカメラ３が撮影した動画に切り替える。このように進み、選手は第２１０ネットワークビデオカメラ３が撮影する区間に入り、ゴールにつくとき、動画受信端末２は第ネットワークビデオカメラ３が撮影した動画に切り替える。当該動画受信端末２にして、これは当該選手が競争路の全過程にある動画を連続に放送できる。当該選手に関心を持っている観客にして、観客は関心を持っている選手の動画を連続に見える。
【００２２】
本発明は、上記のベスト実施形態に限られなく、いかなる人は本発明の掲示でほかの各種形式の製品を取得できるが、形状あるいは構造にいかなる変更があっても、いかなる本発明と同じまたは類似な技術案は、本発明の請求範囲に属する。
【符号の説明】
【００２３】
１  移動端末
２  動画受信端末
３  ネットワークビデオカメラ
４  クラウドサーバー
１１  ＧＰＳポジショニングモジュール
１２  第一無線通信モジュール
２１  第二無線通信モジュール
２２  動画切り替えモジュール
２３  動画再生モジュール
【図１】
2017212665.tif 000003
【図２】
2017212665.tif 000004